(57)【特許請求の範囲】
【請求項１】
サービングセルをサポートする無線通信システムにおけるシステム情報を送信する方法であって、
ユーザ端末に設定された少なくとも１つのサービングセルのシステム情報が変更されたことを、前記少なくとも１つのサービングセルから転送されたシステム情報変更通知の受信により確認することと、
前記少なくとも１つのサービングセルのシステム情報のうちの変更された情報を含む無線リソース制御メッセージを生成することと、
前記生成された無線リソース制御メッセージを、前記少なくとも１つのサービングセルと区別される特別セルを通じて前記ユーザ端末に送信し、前記ユーザ端末との間で前記無線リソース制御メッセージを通じたシグナリング接続を維持することと、
を含むことを特徴とする、無線通信システムにおけるシステム情報送信方法。
【請求項２】
前記無線リソース制御メッセージは、前記特別セルのシステム情報のうちの変更された情報及び前記少なくとも１つのサービングセルのシステム情報のうちの変更された情報を含むことを特徴とする、請求項１に記載の無線通信システムにおけるシステム情報送信方法。
【請求項３】
前記変更されたシステム情報は、ダウンリンク搬送波の周波数、前記ダウンリンク搬送波と対をなすアップリンク搬送波の周波数、帯域幅情報、物理的セルＩＤ、搬送波索引情報、電波リソース設定情報のうちの少なくとも１つを含むことを特徴とする、請求項１に記載の無線通信システムにおけるシステム情報送信方法。
【請求項４】
基地局が、前記変更されたシステム情報を含む無線リソース制御メッセージを前記ユーザ端末に送信することをさらに含むことを特徴とする、請求項１に記載の無線通信システムにおけるシステム情報送信方法。
【請求項５】
サービングセルをサポートする無線通信システムにおけるシステム情報を受信する方法であって、
少なくとも１つのサービングセルと区別される特別セルを通じて、システム情報変更通知が転送された前記少なくとも１つのサービングセルのシステム情報のうちの変更された情報を含む無線リソース制御メッセージを受信し、前記特別セルとの間で前記無線リソース制御メッセージを通じたシグナリング接続を維持することと、
前記受信された無線リソース制御メッセージを通じて当該ユーザ端末に設定された前記少なくとも１つのサービングセルのシステム情報が変更されたことを確認することと、
を含むことを特徴とする、無線通信システムにおけるシステム情報受信方法。
【請求項６】
前記無線リソース制御メッセージは、前記特別セルのシステム情報のうちの変更された情報及び前記少なくとも１つのサービングセルのシステム情報のうちの変更された情報を含むことを特徴とする、請求項５に記載の無線通信システムにおけるシステム情報受信方法。
【請求項７】
前記変更されたシステム情報は、ダウンリンク搬送波の周波数、前記ダウンリンク搬送波と対をなすアップリンク搬送波の周波数、帯域幅情報、物理的セルＩＤ、搬送波索引情報、電波リソース設定情報のうちの少なくとも１つを含むことを特徴とする、請求項５に記載の無線通信システムにおけるシステム情報受信方法。
【請求項８】
前記ユーザ端末が、前記変更されたシステム情報を含む無線リソース制御メッセージを基地局から受信することをさらに含むことを特徴とする、請求項５に記載の無線通信システムにおけるシステム情報受信方法。
【請求項９】
サービングセルをサポートする無線通信システムにおけるシステム情報を送信する装置を含む基地局であって、
ユーザ端末に設定された少なくとも１つのサービングセルのシステム情報が変更されたことを、前記少なくとも１つのサービングセルから転送されたシステム情報変更通知の受信により確認して、前記少なくとも１つのサービングセルのシステム情報のうちの変更された情報を含む無線リソース制御メッセージを生成する制御部と、
前記生成された無線リソース制御メッセージを、前記少なくとも１つのサービングセルと区別される特別セルを通じて前記ユーザ端末に送信し、ユーザ端末との間で前記無線リソース制御メッセージを通じたシグナリング接続を維持する転送部と、
を含むことを特徴とする、基地局。
【請求項１０】
前記無線リソース制御メッセージは、前記特別セルのシステム情報のうちの変更された情報及び前記少なくとも１つのサービングセルのシステム情報のうちの変更された情報を含むことを特徴とする、請求項９に記載の基地局。
【請求項１１】
前記変更されたシステム情報は、ダウンリンク搬送波の周波数、前記ダウンリンク搬送波と対をなすアップリンク搬送波の周波数、帯域幅情報、物理的セルＩＤ、搬送波索引情報、電波リソース設定情報のうちの少なくとも１つを含むことを特徴とする、請求項９に記載の基地局。
【請求項１２】
前記制御部は、前記変更されたシステム情報を含む無線リソース制御メッセージを前記ユーザ端末に送信することを特徴とする、請求項９に記載の基地局。
【請求項１３】
サービングセルをサポートする無線通信システムにおけるシステム情報を受信する装置を含むユーザ端末であって、
少なくとも１つのサービングセルと区別される特別セルを通じて、システム情報変更通知が転送された前記少なくとも１つのサービングセルのシステム情報のうちの変更された情報を含む無線リソース制御メッセージを受信し、前記特別セルとの間で前記無線リソース制御メッセージを通じたシグナリング接続を維持する受信部と、
前記受信された無線リソース制御メッセージを通じて当該ユーザ端末に設定された前記少なくとも１つのサービングセルのシステム情報が変更されたことを確認する制御部と、
を含むことを特徴とする、ユーザ端末。
【請求項１４】
前記無線リソース制御メッセージは、前記特別セルのシステム情報のうちの変更された情報及び前記少なくとも１つのサービングセルのシステム情報のうちの変更された情報を含むことを特徴とする、請求項１３に記載のユーザ端末。
【請求項１５】
前記変更されたシステム情報は、ダウンリンク搬送波の周波数、前記ダウンリンク搬送波と対をなすアップリンク搬送波の周波数、帯域幅情報、物理的セルＩＤ、搬送波索引情報、電波リソース設定情報のうちの少なくとも１つを含むことを特徴とする、請求項１３に記載のユーザ端末。
【請求項１６】
前記ユーザ端末は、前記変更されたシステム情報を含む無線リソース制御メッセージを基地局から受信することを特徴とする、請求項１３に記載のユーザ端末。
【発明の詳細な説明】
【技術分野】
【０００１】
本発明の実施形態は無線通信システムに関し、特に、端末（User Equipment；以下、“ＵＥ”という）にシステム情報を送受信する方法及び装置に関する。
【背景技術】
【０００２】
通信システムが発展するにつれて、事業体及び個人などの消費者は非常に多様な無線端末機を使用するようになった。
【０００３】
現在の３ＧＰＰ、ＬＴＥ（Long Term Evolution）、ＬＴＥ−Ａ（LTE Advanced）等の移動通信システムでは、音声中心のサービスの域を越えて、映像、無線データなどの多様なデータを送受信できる高速大容量の通信システムとして、有線通信ネットワークに準ずる大容量データを転送（transmit）することのできる技術の開発が求められているだけでなく、情報の損失を最小化し、システム転送効率を上げることによって、システム性能を向上させることができる適切な誤り検出方式（error detection scheme）が必須の要素となっている。
【０００４】
一方、現在まで、１つの周波数帯域からなる１つの搬送波（Carrier）を使用する通信システムとは異なり、最近論議されている無線通信システムでは、複数の（multiple）コンポーネントキャリア（Component Carrier；以下、“コンポーネントキャリア”または“ＣＣ”という）を使用することができる方法について論議されている。
【０００５】
一方、一般的に移動通信システムでは、例えば、電源オン（On）による端末の初期化（Initiation）や、呼接続（Call Connection）など、端末の動作に必要な様々なパラメータ（Parameter）を、端末（ＵＥ：User Equipment）が基地局（ＢＳ：Base Station）より送信されるシステム情報（System Information；以下、“システム情報”または“ＳＩ”という）から獲得する。このようなシステム情報は、全てのセル（Cell）に属した全ての端末が受信することができるように、報知チャネル(broadcast channel)を介して全てのセルに伝搬される。
【０００６】
複数のコンポーネントキャリアを使用する通信システムの場合、各々のコンポーネントキャリアは１つのセルのように機能させることができるので、各コンポーネントキャリアのシステム情報を全てＵＥに通知しなければならず、特にシステム情報の中には経時変化するパラメータもあるので、常に最新（Up-to-date）のシステム情報をＵＥに転送する必要があるが、現在までこのような技術を定めたものがない。
【発明の概要】
【発明が解決しようとする課題】
【０００７】
本発明の一実施形態は、複数のコンポーネントキャリアのシステム情報をＵＥに効率良く転送する方法及び装置を提供することをその目的とする。
【０００８】
本発明の他の目的は、ＵＥが複数のコンポーネントキャリアのシステム情報を効果的に受信／獲得するための方法及び装置を提供することにある。
【０００９】
本発明の更に他の目的は、複数のコンポーネントキャリアのシステム情報を１つのコンポーネントキャリアを通じて転送し、ＵＥが複数のコンポーネントキャリアの最新のシステム情報を獲得することができる装置及び方法を提供することにある。
【課題を解決するための手段】
【００１０】
本明細書の一実施形態は、多重コンポーネントキャリアのシステム情報送信装置であって、上記システム情報送信装置は自身が使用するコンポーネントキャリアのシステム情報と他のコンポーネントキャリアのシステム情報を端末に転送する多重コンポーネントキャリアのシステム情報送信装置を提供する。
【００１１】
本明細書の一実施形態は、多重コンポーネントキャリアのシステム情報受信装置であって、上記システム情報受信装置は、現在シグナリング接続がなされた特別コンポーネントキャリアのシステム情報送信装置から上記特別コンポーネントキャリアのシステム情報及び他のコンポーネントキャリアのシステム情報を受信して獲得する多重コンポーネントキャリアのシステム情報受信装置を提供する。
【００１２】
本明細書の一実施形態は、多重コンポーネントキャリアのシステム情報送受信方法であって、端末に割り当てられた複数のコンポーネントキャリアのうち、端末とシグナリング接続を行っている特別セルのシステム情報送信装置が上記端末に割り当てられた他のコンポーネントキャリアのシステム情報の伝達を受けることと、上記特別セルのシステム情報送信装置が上記特別セルのシステム情報及び他のコンポーネントキャリアのシステム情報のうちの１つ以上を上記端末に転送することとを含む多重コンポーネントキャリアのシステム情報送受信方法を提供する。
【００１３】
本明細書の更に他の一実施形態は、多重コンポーネントキャリアにおけるシステム情報を端末に送信する方法であって、システム情報送信装置が上記システム情報が送受信される第１コンポーネントキャリアを選択することと、上記第１コンポーネントキャリアを通じて第２コンポーネントキャリアのシステム情報の全体または変更されたシステム情報の一部をユーザ端末に送信することとを含むことを特徴とする。
【００１４】
本明細書の更に他の一実施形態は、多重コンポーネントキャリアにおけるシステム情報を受信する方法であって、システム情報送信装置が制御するセルにユーザ端末が結合することと、システム情報が送受信される第１コンポーネントキャリアを通じて第２コンポーネントキャリアのシステム情報の全体または変更されたシステム情報の一部を上記システム情報送信装置から受信することとを含むことを特徴とする。
【００１５】
本明細書の更に他の一実施形態は、多重コンポーネントキャリアにおけるシステム情報を端末に送信するシステム情報送信装置であって、上記システム情報が送受信される第１コンポーネントキャリアを選択して、上記第１コンポーネントキャリアを通じて第２コンポーネントキャリアのシステム情報の全体または変更されたシステム情報の一部をユーザ端末に送信するように制御する制御部と、上記第２コンポーネントキャリアのシステム情報の全体または変更されたシステム情報の一部を上記第１コンポーネントキャリアを通じて送信する転送部とを含むことを特徴とする。
【００１６】
本明細書の更に他の一実施形態は、多重コンポーネントキャリアにおけるシステム情報を受信するユーザ端末であって、システム情報送信装置が制御するセルに結合するように制御する制御部と、システム情報が送受信される第１コンポーネントキャリアを通じて第２コンポーネントキャリアのシステム情報の全体または変更されたシステム情報の一部を上記システム情報送信装置から受信する受信部とを含むことを特徴とする。
【発明の効果】
【００１７】
本発明によれば、複数のコンポーネントキャリアを使用する場合に発生する追加的なバッテリー消耗あるいは情報受信までの遅延時間などが発生する問題を解決し、バッテリー消耗あるいは情報受信遅延を減らす効果がある。
【図面の簡単な説明】
【００１８】
【図１】本明細書の一実施形態が適用される無線通信システムを概略的に示す図である。
【図２】本明細書の一実施形態が適用される多重コンポーネントキャリアを用いた無線通信システムの一例示図である。
【図３】本明細書の一実施形態によるシステム情報転送方式を示す図である。
【図４】本明細書の実施形態が適用される無線通信システムで変更されたシステム情報を提供するシグナル・フローを示す図である。
【図５】本明細書の一実施形態によるコンポーネントキャリアの変更されたシステム情報を伝達するシグナル・フローを示す図である。
【図６】本明細書の他の一実施形態によるコンポーネントキャリアの変更されたシステム情報を伝達するシグナル・フローを示す図である。
【図７】本明細書の一実施形態によるＳＩを送信するＳＩ送信装置の構成図である。
【図８】本明細書の一実施形態よるシステム情報受信装置のブロック図である。
【発明を実施するための形態】
【００１９】
以下、本発明の一部の実施形態を添付した図面を参照しつつ詳細に説明する。各図面の構成要素に参照符号を付与するにあたって、同一の構成要素に対してはたとえ他の図面上に表示されていても、できる限り同一の符号を付与するようにしていることに留意しなければならない。また、本発明を説明するにあたって、関連した公知の構成または機能に対する具体的な説明が本発明の要旨を曖昧にし得ると判断される場合にはその詳細な説明は省略する。
【００２０】
また、本発明の構成要素を説明するに当たって、第１、第２、Ａ、Ｂ、（ａ）、（ｂ）などの用語を使用することがある。このような用語はその構成要素を他の構成要素と区別するためのものであり、その用語により当該構成要素の本質や順序などが限定されるものではない。ある構成要素が他の構成要素に“連結”、“結合”、または“接続”されると記載された場合、その構成要素はその他の構成要素に直接的に連結または接続できるが、各構成要素の間に更に他の構成要素が“連結”、“結合”、または“接続”されることもできると理解されるべきである。
【００２１】
図１は、本明細書の実施形態が適用される無線通信システムを図示する。
【００２２】
無線通信システムは、音声、パケットデータなどの多様な通信サービスを提供するために広く配置される。
【００２３】
図１を参照すると、無線通信システムは、端末１０（User Equipment；ＵＥ）及び基地局２０（Base Station；ＢＳ）を含む。端末１０と基地局２０は以下に説明する実施形態に係るコンポーネントキャリアのシステム情報送受信技術が適用される。このような複数のコンポーネントキャリアのシステム情報送受信装置及び方法に対しては図２を参考にして、以下により詳細に説明する。
【００２４】
本明細書での端末１０は無線通信を用いるユーザ端末を意味する包括的な概念であって、ＷＣＤＭＡ（登録商標）及びＬＴＥ、ＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【００２５】
基地局２０またはセル（cell）は、一般的に端末１０と通信する固定された地点（fixed station）をいい、ノード−Ｂ（Node-B）、ｅＮＢ（evolved Node-B）、ＢＴＳ（Base Transceiver System）、アクセスポイント（Access Point）、リレーノード（Relay Node）等のように異なる用語で呼ばれることがあってもよい。
【００２６】
即ち、本明細書で基地局２０またはセル（cell）は、ＣＤＭＡでのＢＳＣ（Base Station Controller）、ＷＣＤＭＡのＮｏｄｅＢなどがカバーする一部の領域を表す包括的な意味として解釈されなければならず、メガセル、マクロセル、マイクロセル、ピコセル、フェムトセル（femto cell）、及びリレーノード（relay node）通信範囲など、多様なカバレッジ領域を全て包括する意味である。
【００２７】
本明細書において、端末１０と基地局２０は本明細書で記述される技術または技術的事象の具現に使われる２つの送受信主体であって、包括的な意味として使われて、特定に指称される用語または単語により限定されない。
【００２８】
無線通信システムに適用される多重接続技法には制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡなどの多様な多重接続技法を用いてもよい。
【００２９】
アップリンク転送及びダウンリンク転送は、互いに異なる時間を使用して転送されるＴＤＤ（Time Division Duplex）方式を用いてもよく、または互いに異なる周波数を使用して転送されるＦＤＤ（Frequency Division Duplex）方式を用いてもよい。
【００３０】
本発明の一実施形態は、ＧＳＭ（登録商標）、ＷＣＤＭＡ、ＨＳＰＡを経てＬＴＥ（Long Term Evolution）及びＬＴＥ-advancedに進化している非同期無線通信と、ＣＤＭＡ、ＣＤＭＡ−２０００、及びＵＭＢに進化しているる同期式無線通信分野などにおけるリソース割当（allocation of resources）に適用できる。本発明は、特定の無線通信分野に限定または制限されて解釈されてはならず、本発明の事象が適用できる全ての技術分野を含むものとして解釈されるべきである。
【００３１】
本発明の実施形態が適用される無線通信システムは、アップリンク及び／またはダウンリンクＨＡＲＱ（Hybrid Automatic Repeat reQuest）をサポートすることができ、リンク適応（link adaptation）のためにＣＱＩ（channel quality indicator）を用いてもよい。また、ダウンリンクとアップリンク転送のための多重接続方式は互いに異なることがあり、例えば、ダウンリンクはＯＦＤＭＡ（Orthogonal Frequency Division Multiple Access）を使用し、アップリンクはＳＣ−ＦＤＭＡ（Single Carrier-Frequency Division Multiple Access）を用いてもよい。
【００３２】
端末とネットワークとの間の無線インターフェースプロトコル（radio interface protocol）の階層は通信システムで広く知られた開放型システム間の相互接続（Open System Interconnection；ＯＳＩ）モデルの下位３個の階層に基づいて第１階層（Ｌ１）、第２階層（Ｌ２）、第３階層（Ｌ３）に区分することができ、第１階層に属する物理階層は物理チャネル（physical channel）を用いた情報転送サービス（information transfer service）を提供する。
【００３３】
一方、本発明の一実施形態が適用される無線通信システムの一例では、１つの無線フレームは１０個のサブフレーム（Subframe）から構成され、１つのサブフレームは２つのスロット（slot）を含んでもよい。
【００３４】
データ転送の基本単位はサブフレーム単位となり、サブフレーム単位でダウンリンクまたはアップリンクのスケジューリングがなされる。１つのスロットは時間領域で複数のＯＦＤＭシンボルと周波数領域で少なくとも１つの副搬送波を含んでもよく、１つのスロットは７または６個のＯＦＤＭシンボルを含んでもよい。
【００３５】
例えば、サブフレームは、２つのタイムスロットからなるとき、各タイムスロットは時間領域で７個のシンボルと周波数領域で１２個の副搬送波（Subcarrier）を含むことができ、このように１つのスロットとして定義される時間−周波数領域をリソースブロック（Resource Block；ＲＢ）と呼ぶことができるが、これに限定されるものではない。
【００３６】
一方、現在使われる通信システムの１つでは、一定の周波数帯域幅（最大２０ＭＨｚ）を有する１つの搬送波を用いており、このような無線通信システムでは１つのコンポーネントキャリア（Component Carrier；以下、ＣＣ）のシステム情報（System Information；ＳＩ）は該当ＣＣを通じて送受信している。
【００３７】
しかしながら、最近論議されている新たな通信システムでは、要求される性能を満たすために帯域幅（Bandwidth）を拡張しようとする議論が進行しており、帯域幅の拡張のために、既存の通信端末が有することのできる単位搬送波をコンポーネントキャリア（Component Carrier）と定義し、このようなコンポーネントキャリア（Component Carrier）を最大５個までにグループ化（group）して使用する方案が論議されている。勿論コンポーネントキャリアの数は適用する通信システムによって変化させてもよく、５個を超過してもよい。ここで、上記コンポーネントキャリアは、サービングセル（Serving Cell）と同一の意味を含み、本発明に従うシステムは１つの主サービングセルと、少なくとも７個の副サービングセルをサポートすることをさらに含んでもよい。
【００３８】
即ち、本明細書の一実施形態によるＬＴＥ−Ａの場合、従来の２０ＭＨｚのコンポーネントキャリアを最大５個までにグループ化して使用することができるので、最大１００ＭＨｚまでの帯域幅を有するものに拡張することができ、このように、コンポーネントキャリア（Component Carrier）を最大５個までにグループ化して使用することができる技術を搬送波集積技術（Carrier Aggregation）という。コンポーネントキャリア（Component Carrier）として割当を受けることができる周波数帯域は、連続的または不連続的であってもよい。
【００３９】
搬送波集積技術（Carrier Aggregation）と関連して、複数のコンポーネントキャリアは特性によって互換搬送波（Backwards compatible carrier）、非互換搬送波（Non-backwards compatibility carrier）、拡張搬送波（Extension carrier）の３種類に区分できる。
【００４０】
互換搬送波（Backwards compatible carrier；以下、“互換搬送波”または“ＢＣ”という）は現存するＬＴＥの全てのバージョンのＵＥに適用できる搬送波であって、シングル・キャリア（single carrier）（スタンドアロン（stand-alone））の搬送波として動作することもでき、搬送波集合（carrier Aggregation）の一部として動作することもできる。ＦＤＤ（Frequency Division Duplex）では常にアップリンクとダウンリンクの一対として存在することができる。
【００４１】
一方、非互換搬送波（Non-backwards compatibility carrier；以下、“非互換搬送波”または“ＮＢＣ”という）は、これまでの通信システムに適合するＵＥには接続不能なものであり、デュプレックス・ディスタンス（duplex distance）から生じた（originate）ものであれば、シングル・キャリア（スタンドアロン）として動作することができるが、そうでない場合は、搬送波集合の一部として動作する搬送波である。
【００４２】
また、拡張搬送波（Extension Carrier；以下、“拡張搬送波”または“ＥｘＣ”という）はシングル・キャリア（スタンドアロン）として動作できず、必ずスタンドアロンで使用可能な搬送波を含む少なくとも１つのコンポーネントキャリアのセット（Set）の一部としてのみ使われるものであって、帯域幅拡張用のみに使われる搬送波である。
【００４３】
このような多重コンポーネントキャリア環境では、ＵＥには信号受信が可能な多重コンポーネントキャリア（Multiple Component Carrier；ＣＣ）が割り当てられてもよく、各々の割り当てられたコンポーネントキャリアの適切な動作のために、ＵＥは各ＣＣの最新のシステム情報（System Information；ＳＩ）を獲得する必要がある。
【００４４】
本発明の一実施形態は、多重コンポーネントキャリアのシステム情報送受信に関するものであって、システム情報送信装置は自身が使用するコンポーネントキャリアのシステム情報と他のコンポーネントキャリアのシステム情報を共に端末に転送することができる。
【００４５】
より詳しくは、１つの端末に複数のコンポーネントキャリアが割り当てられて使われる場合、シグナリングのために接続している特別コンポーネントキャリア（Special CCまたはSpecial Cell）を通じて、上記特別コンポーネントキャリアのシステム情報及び他の割当コンポーネントキャリアのシステム情報を送受信することができる。
【００４６】
一方、特別コンポーネントキャリアは、互換搬送波（ＢＣ）または非互換搬送波（ＮＢＣ）のうち１つであってもよく、このような互換搬送波（ＢＣ）または非互換搬送波（ＮＢＣ）は、ＵＥとの間でRRC_IDLE状態、あるいはRRC_CONNECTED状態を維持してもよく、特にRRC_CONNECTED状態ではＵＥに完全に接続することができる。ＵＥとRRC_IDLE状態の場合にも、一部のシステム情報を受信して、対応する搬送波ＣＣ（あるいはCell）に接続できる状態に維持されてもよい。
【００４７】
本明細書において使われるシステム情報（ＳＩ）は、無線リソース制御（Radio Resource Control；ＲＲＣ）階層のメッセージであって、一般的なシステムパラメータを含むシステム情報ブロック（System Information Block；ＳＩＢ）と、頻繁に転送される制限付パラメータ（limited parameter）を含むマスター情報ブロック（Master Information Block；ＭＩＢ）、またはスケジューリングブロック（Scheduling Block；ＳＢ）などを含んでもよいが、これに限定されるものではない。
【００４８】
マスター情報ブロック（ＭＩＢ）は頻繁に転送される制限付パラメータを含み、スケジューリングブロック（ＳＢ）は他のシステム情報が何時転送されるかのスケジューリング情報を含み得る。ＭＩＢは報知チャネル（ＢＣＨ）を介して固定周期で転送され、ＳＢとＳＩＢはダウンリンク共有チャネル（ＤＬ−ＳＣＨ）を介して固定周期または動的周期で転送されてもよい。
【００４９】
ＭＩＢ、ＳＢ、及びＳＩＢは、設定される情報によってそのサイズが変動し、システム情報を転送するための報知チャネル（ＢＣＨ）とダウンリンク共有チャネル（ＤＬ−ＳＣＨ）はそのサイズが固定されているので、基地局は転送チャネルのサイズによってＭＩＢ、ＳＢ、及びＳＩＢを適切に分割して転送し、端末は分割されたＭＩＢ、ＳＢ、及びＳＩＢを全て受信して再結合することができる。
【００５０】
動的周期を使用する特定ＳＩＢを受信するためには、端末は、特定の分割されたＳＩＢを全て受信するまで続けてダウンリンク共有チャネル（ＤＬ−ＳＣＨ）を介して受信してもよい。また、端末は、ＳＢに含まれた特定ＳＩＢの分割及び転送スケジューリング情報を用いて特定ＳＩＢの分割されたピース（pieces）を受信してもよい。
【００５１】
このように、システム情報はコンポーネントキャリア（ＣＣ）を通じて接続してデータをやり取りするために必ず必要な情報であり、端末は各ＣＣのシステム情報を得るために、該当ＣＣに対応する周波数で上記システム情報を受信しなければならない。
【００５２】
しかしながら、本明細書の一実施形態によるＬＴＥ−Ａの場合、最大５個のＣＣを使用する通信システムではシステム情報を受信するために最大５個に対応する周波数帯域の情報を受信しなければならず、このために最大５倍に対応するバッテリーリソースを浪費する問題が発生することがある。
【００５３】
このような問題を解決するために、本実施形態では１コンポーネントキャリア（ＣＣ）のシステム情報を他のコンポーネントキャリア（ＣＣ）を通じて転送できるようにする。
【００５４】
図２は、本明細書の一実施形態が適用される多重コンポーネントキャリアを用いた無線通信システムの一例を図示する。
【００５５】
図２において、端末１（ＵＥ１）２１０は、ＣＣ１ ２４０とＣＣ２ ２５０を通じてデータが転送できる状態であり、端末２（ＵＥ２）２２０は、ＣＣ２ ２５０、ＣＣ３ ２６０、ＣＣ４ ２７０を通じてデータが転送できる状態であり、端末３（ＵＥ３）２３０は、ＣＣ４ ２７０、ＣＣ５ ２８０を通じてデータが転送できる状態を図示している。
【００５６】
ここで、データが転送できる状態ということは、該当端末が使用できるＣＣからデータを受けることができるように該当ＣＣからシステム情報（ＳＩ）を受信してデータが転送できる状態をいう。
【００５７】
一方、図２で、ＣＣ２ ２５０は互換搬送波（ＢＣ）、ＣＣ３ ２６０とＣＣ４ ２７０は非互換搬送波（ＮＢＣ）、ＣＣ１ ２４０とＣＣ５ ２８０は拡張搬送波（ＥｘＣ）と仮定する。即ち、ＣＣ２（ＢＣ）、ＣＣ３（ＮＢＣ）、ＣＣ４（ＮＢＣ）は該当ＣＣを通じてシステム情報を転送できるコンポーネントキャリアであり、ＣＣ１、ＣＣ５は該当ＣＣを通じてシステム情報（ＳＩ）が転送できないコンポーネントキャリアである。
【００５８】
図２では、各ＣＣのシステム情報が該当ＣＣを通じてのみ端末に伝達される構成を有する。
【００５９】
即ち、端末２（ＵＥ２）２２０を例に挙げれば、端末２ ２２０はＣＣ２ ２５０、ＣＣ３ ２６０、及びＣＣ４ ２７０を使用しており、各ＣＣのシステム情報は該当ＣＣを通じて受信して獲得する。ここで、システム情報は、各ＣＣのシステム情報の全てのピースであってもよく、変更されたシステム情報の一部であってもよい。端末２ ２２０は、ＣＣ２ ２５０のシステム情報または変更されたシステム情報（ＳＩ ＣＣ２）をＣＣ２を通じて受信／獲得（２）し、ＣＣ３ ２６０のシステム情報（ＳＩ ＣＣ３）をＣＣ３を通じて受信／獲得（３）し、ＣＣ４ ２７０のシステム情報（ＳＩ ＣＣ４）をＣＣ４を通じて受信／獲得（４）し、各ＣＣのシステム情報に変更がある場合、変更されたシステム情報も同一の方式により受信／獲得してもよい。
【００６０】
図２に図示したように、各ＣＣのシステム情報が各ＣＣを通じてのみ送受信される場合には、従来の通信システムと比較すると、システム情報（ＳＩ）シグナリングオーバーヘッド（Signaling Overhead）の増加がなく、拡張性（Scalability）の問題はないが、間欠受信制御（ＤＲＸ：Discontinuous Reception）等の場合には、該当ＣＣを介して該当ＣＣに関連したページング情報などを受信しなければならない。これにより、バッテリーリソースを使用する端末のバッテリーリソースが浪費される問題が発生することがある。
【００６１】
即ち、図２の端末２（ＵＥ２）は、システム情報の変更などによって新しく更新されたシステム情報を受信するために使用しているコンポーネントキャリアであるＣＣ２、ＣＣ３、ＣＣ４を持続的にモニタリングして新たなシステム情報が更新されたことを把握した後、該当ＣＣを通じてそれぞれ変更されたＣＣのシステム情報を受信しなければならず、このような場合、バッテリーの電力消耗が激しくなることがある。
【００６２】
図３の実施形態ではこのような問題に対処するために、特定のＣＣのリソースを用いて、端末に変更されたＣＣのシステム情報を転送するようにする方式を用いたものである。
【００６３】
図３は本発明の一実施形態によるシステム情報転送方式を図示するものであって、特定のＣＣのリソースを用いて端末に変更されたＣＣのシステム情報を送受信する方式を図示したものである。
【００６４】
図３においても、図２に関連して図示したように、端末１（ＵＥ１）３１０はＣＣ１ ３４０とＣＣ２ ３５０を通じてデータが転送できる状態であり、端末２（ＵＥ２）３２０はＣＣ２ ３５０、ＣＣ３ ３６０、ＣＣ４ ３７０を通じてデータが転送できる状態であり、端末３（ＵＥ３）３３０はＣＣ４ ３７０、ＣＣ５ ３８０を通じてデータが転送できる状態である。ＣＣ２は互換搬送波（ＢＣ）、ＣＣ３とＣＣ４は非互換搬送波（ＮＢＣ）、ＣＣ１とＣＣ５は拡張搬送波（ＥＣ）と仮定する。
【００６５】
図３において、端末１（ＵＥ１）３１０と端末２（ＵＥ２）３２０の場合、ＣＣ２ ３５０を通じてシグナリングのための接続を行い、端末３（ＵＥ３）３３０の場合にはＣＣ４ ３７０を通じてシグナリングのための接続を行っている。
【００６６】
ここで、シグナリングのために接続しているＣＣを特別コンポーネントキャリア（Special CCあるいはSpecial Cell）と称するが、このような用語に限定されるものではない。
【００６７】
特別コンポーネントキャリアは端末とシグナリング接続のためのいろいろな情報を提供することができる。例えば、特別コンポーネントキャリア（Special CCあるいはSpecial Cell）はシステムと端末との間のセキュリティ保証のためのキー（Key）を生成して提供することもでき、モビリティ（mobility）を保証するためのコア・ネットワーク（core network）で生成して転送するモビリティ関連情報などを転送してもよい。
【００６８】
図３に図示した実施形態においては、図２とは異なり、シグナリング接続などの役割を担う特別コンポーネントキャリアを通じて、割り当てられている他のコンポーネントキャリアのシステム情報を転送してもよい。
【００６９】
即ち、端末２ ３２０は、ＣＣ２ ３５０、ＣＣ３ ３６０、ＣＣ４ ３７０のシステム情報などの変更内容を把握し、該当ＣＣ３ ３６０、ＣＣ４ ３７０などのシステム情報を受信するために該当ＣＣで変更されたシステム情報を受信する必要が無く、ＣＣ２ ３５０を通じてＣＣ３ ３６０、ＣＣ４ ３７０の変更されたシステム情報を受信することができる。
【００７０】
また、ＣＣ２ ３５０は変更されたＣＣのシステム情報だけでなく、ＣＣ３ ３６０、ＣＣ４ ３７０などを使用するためのシステム情報の全体あるいは一部を該当ＣＣでないＣＣ２ ３５０を通じて転送してもよい。
【００７１】
このとき、転送されるシステム情報は端末が該当ＣＣを使用するために必須的に受信しなければならない情報であって、該当ＣＣに独立的な情報であってもよい。あるいは、特別コンポーネントキャリアと異なる情報であってもよい。
【００７２】
例えば、ダウンリンク（ＤＬ）搬送波周波数（そして、対をなすアップリンク（ＵＬ）周波数）の情報、該当ＣＣの帯域幅（ＢＷ）情報、ＣＣを物理的セルＩＤ（ＰＣＩ；Physical Cell ID）に区分する場合のＰＣＩ情報、搬送波索引情報（Carrier Index情報）、電波リソース設定情報（Radio Resource Configuration）、臨時ＩＤ情報などであってもよいが、これに限定されるものではない。
【００７３】
端末が特別コンポーネントキャリアと形成するシグナリング接続は、ＲＲＣ（Radio Resource Control）等を通じて形成してもよいが、これに限定されるものではない。各端末は、特別コンポーネントキャリアを通じて他のコンポーネントキャリアのシステム情報を受信／獲得する。
【００７４】
各端末別に、より具体的に説明する。図３を参照すると、端末１ ３１０の場合には、ＣＣ１ ３４０が端末１のための拡張搬送波（Extension CC；ＥｘＣ）であるので、ＣＣ１ ３４０のシステム情報（ＳＩ ＣＣ１）を、ＣＣ１ ３４０から直接受信することはできず、代わりに、端末１のための互換搬送波（ＢＣ）であって、かつ特別コンポーネントキャリア（Special CC）であるＣＣ２ ３５０を通じてＣＣ１のシステム情報を転送する（１）。
【００７５】
即ち、ＣＣ１ ３４０のシステム情報転送のために、ＣＣ２ ３５０を用いることができ、またはＣＣ１ ３４０のシステム情報が変更された場合に、変更されたシステム情報を、ＣＣ２ ３５０を通じて転送することができる。勿論、ＣＣ２ ３５０のシステム情報または変更されたシステム情報（ＳＩ ＣＣ２）は特別コンポーネントキャリアであるＣＣ２ ３５０から転送を受ける（２）。
【００７６】
また、図３を参照すると、端末３（ＵＥ３）３３０の場合、ＣＣ５ ３８０は端末３のための拡張搬送波（Extension CC；ＥｘＣ）であるので、ＣＣ５ ３８０のシステム情報（ＳＩ ＣＣ５）をＣＣ５ ３８０から直接受信することができない。
【００７７】
一方、ＣＣ４ ３７０は、端末３のための非互換搬送波（Non-Backward Compatible CC；ＮＢＣ）で、かつ特別コンポーネントキャリア（Special CC）であるので、端末３ ３３０は特別コンポーネントキャリア（Special CC）であるＣＣ４ ３７０を通じて他のコンポーネントキャリアであるＣＣ５ ３８０のシステム情報を受信することができ、またはＣＣ５ ３８０のシステム情報が変更された場合に、変更されたシステム情報をＣＣ４ ３７０を通じて転送を受けることができる（７）。勿論、端末３ ３３０は、ＣＣ４ ３７０のシステム情報または変更されたシステム情報（ＳＩ ＣＣ４）を特別コンポーネントキャリアであるＣＣ４ ３７０自身から転送を受ける（６）。
【００７８】
また、端末２ ３２０は特別コンポーネントキャリアであるＣＣ２ ３５０のシステム情報（ＳＩ ＣＣ２）をＣＣ２自身から転送を受けること（５）は勿論、他のコンポーネントキャリアであるＣＣ３ ３６０及びＣＣ４ ３７０のシステム情報（ＳＩ ＣＣ３、ＳＩ ＣＣ４）またＣＣ３及びＣＣ４でない特別コンポーネントキャリアＣＣ２ ３５０を通じて転送を受ける（３、４）。
【００７９】
図４は、本実施形態が適用される無線通信システムで変更されたシステム情報を提供するシグナル・フロー（signal flow）を図示したものである。
【００８０】
図４は、図２に図示したように、各ＣＣのシステム情報が各ＣＣを通じてのみ送受信される場合の、変更されたシステム情報を提供する方式を図示したものであり、図２及び図３の端末２の接続環境を仮定して図示したものである。
【００８１】
図４に図示したように、各ＣＣのシステム情報が各ＣＣを通じてのみ送受信されるシステムでは、ＣＣ２（ＢＣ）、ＣＣ３（ＮＢＣ）、ＣＣ４（ＮＢＣ）の３個のコンポーネントキャリアの割当を受けた端末２は、ＣＣ２から１番のＳＩ変更通知（1. SI Modify Notificationあるいは、1. SI Modify Noti）メッセージを通じて、ＣＣ２のシステム情報が変更されたという信号を受信する。このとき、２番のＳＩ指示（2. SI Indication）メッセージであるSI 指示（SI Indi）（ＣＣ２）は、ＣＣ２のシステム情報を含んでもよい。上記システム情報は、ＣＣ２が必要とするシステム情報のうち、変更された情報であってもよい。あるいはＣＣ２が必要とするシステム情報の全体であってもよい。
【００８２】
２番のSI 指示（ＣＣ２）メッセージがシステム情報の変更事実を同時に知らせることができる場合には、上記１番のＳＩ変更通知メッセージを使用しないことがあってもよい。
【００８３】
また、３番のＳＩ変更通知（3. SI Modify Noti）メッセージを通じてＣＣ３システム情報が変更されたという事実を通知した後、４番のSI 指示（4. SI Indi）メッセージであるSI 指示（ＣＣ３）を通じてＣＣ３のシステム情報を伝達し、このときのシステム情報はＣＣ３が必要とするシステム情報のうち、変更された情報、またはＣＣ３が必要とするシステム情報の全体を含んでもよいが、それに限定されるものではない。また、４番のSI指示メッセージがシステム情報変更事実を同時に知らせることができる場合には、上記３番のＳＩ変更通知メッセージは使用しないことがあってもよい。
【００８４】
同様に、５番のＳＩ変更通知（5. SI Modify Noti）メッセージを通じてＣＣ４のシステム情報が変更されたという事実を通知した後、６番のSI 指示（6. SI Indi）メッセージであるSI 指示（ＣＣ４）を通じてＣＣ４のシステム情報を伝達し、このときのシステム情報はＣＣ４が必要とするシステム情報のうち、変更された情報、またはＣＣ４が必要とするシステム情報の全体を含んでもよいが、それに限定されるものではない。また、６番のSI 指示メッセージがシステム情報変更事実を同時に知らせることができる場合には、上記５番のＳＩ変更通知メッセージは使用しないことがあってもよい。
【００８５】
このように、各々の該当ＣＣを通じて変更されたＣＣのシステム情報を受信する場合には、前述したように、バッテリー電力の消耗が激しいことがあり、これを解決するために、図５及び図６に図示したようなコンポーネントキャリアシステム情報送受信方式を用いてもよい。
【００８６】
図５は、本明細書の一実施形態によるコンポーネントキャリアの変更されたシステム情報を伝達するシグナル・フローを図示したものである。
【００８７】
図５の実施形態では、端末が１つのＣＣを通じて全てのコンポーネントキャリアの変更されたシステム情報を送受信する過程を図示し、端末２は、ＣＣ２、ＣＣ３、あるいはＣＣ４のシステム情報変更事実を特別コンポーネントキャリアであるＣＣ２を通じて転送を受ける。
【００８８】
具体的に説明すると、割り当てられたコンポーネントキャリアであるＣＣ２、ＣＣ３、及びＣＣ４のうち、１つ以上のシステム情報が変更された場合、１番のＳＩ変更通知（SI Modify Noti）を通じて端末（ＵＥ）に変更事実を通知し、２番及び３番のＳＩ変更通知（SI Modify Noti）を通じてＣＣ３及びＣＣ４のシステム情報変更事実を特別コンポーネントキャリアであるＣＣ２のＳＩ送信装置に知らせる。ＣＣ２のＳＩ送信装置は、自身の変更されたシステム情報（ある場合）を４番のSI 指示メッセージを通じて端末２に転送し、他のコンポーネントキャリアであるＣＣ３とＣＣ４の変更されたシステム情報を５番及び６番のSI 指示メッセージを通じて端末２に転送する。
【００８９】
即ち、図５の実施形態では、端末２はＣＣ２、ＣＣ３、あるいはＣＣ４のシステム情報変更事実をＣＣ２を通じて転送を受けて、４番、５番、６番のSI 指示メッセージは、各々該当ＣＣ２、ＣＣ３、ＣＣ４のシステム情報を含んでもよい。ここで、システム情報はＣＣ２、ＣＣ３、ＣＣ４が必要とするシステム情報のうちの変更された情報、または、ＣＣ２、ＣＣ３、ＣＣ４が必要とするシステム情報の全体であってもよい。４番、５番、６番のSI 指示メッセージがＣＣ２、ＣＣ３、ＣＣ４のシステム情報変更事実を同時に知らせることができる場合には、上記ＳＩ変更通知（SI Modify Noti）メッセージは使用しないこともある。図５の実施形態はＣＣ２がＳＩ変更通知を行い、ＣＣ２を通じてＣＣ３、ＣＣ４のSI 指示メッセージを各々送信する場合を含む。
【００９０】
特別コンポーネントキャリアを使用する基地局などのＳＩ送信装置の構成については以下の図７を参考にしてより詳細に説明する。
【００９１】
図６は、本明細書の他の一実施形態によるコンポーネントキャリアの変更されたシステム情報を伝達するシグナル・フローを図示したものである。
【００９２】
図６の実施形態では、端末が１つのＣＣを通じて１つのSI 指示メッセージを通じて変更されたシステム情報を受信する構成を図示している。
【００９３】
具体的に説明すると、割り当てられたコンポーネントキャリアであるＣＣ２、ＣＣ３、及びＣＣ４のうち、１つ以上のシステム情報が変更された場合、１番のＳＩ変更通知によって端末（ＵＥ）に変更事実が通知され、２番及び３番のＳＩ変更通知によってＣＣ３及びＣＣ４のシステム情報変更事実が特別コンポーネントキャリアであるＣＣ２のＳＩ送信装置に通知される。ＣＣ２のＳＩ送信装置は、自身の変更されたシステム情報（存在する場合）及び他のコンポーネントキャリアであるＣＣ３とＣＣ４の変更されたシステム情報を１つのメッセージである４番のSI Indiメッセージによって端末２に一括転送する。
【００９４】
即ち、図６の実施形態では、端末２はＣＣ２、ＣＣ３、あるいはＣＣ４のシステム情報変更事実をＣＣ２を通じての転送を受け、１つのメッセージである４番のSI 指示メッセージによって該当ＣＣ２、ＣＣ３、ＣＣ４のシステム情報の伝達を受ける。４番のSI 指示メッセージにはＣＣ２、ＣＣ３、ＣＣ４のシステム情報の全体または一部の変更された情報のみ含まれてもよい。
【００９５】
このとき、システム情報はＣＣ２、ＣＣ３、ＣＣ４が必要とするシステム情報のうちの変更された情報、または、ＣＣ２、ＣＣ３、ＣＣ４が必要とするシステム情報の全体であってもよい。４番のSI 指示メッセージがＣＣ２、ＣＣ３、ＣＣ４のシステム情報変更事実を同時に知らせることができる場合には、上記ＳＩ変更通知メッセージは使用しないこともある。
【００９６】
本明細書では、ＣＣが初めてＵＥに割り当てられ、ＵＥがＣＣのＳＩを獲得した以後は、ＵＥは割り当てられたＣＣに対する最新のアップデートされたＳＩを持続的に獲得する必要がある。経時変化するＳＩの主要な情報の構成要素には、PHICH（Physical Hybrid-ARQ Indicator CHannel）設定（configuration）（ＭＩＢにおける）、無線リソース（radio resource）設定、及び共通のMBSFN-サブフレーム（a Common and Multi-Media Broadcast over a Single Frequency Network-subframe）設定（ＳＩＢ２における）などが含まれてもよいが、これに限定されるものではない。図６の実施形態は、ＣＣ２がＳＩ変更通知を行い、ＣＣ２、ＣＣ３、ＣＣ４のSI 指示メッセージを１つのメッセージに結合してＣＣ２を用いて送信される場合を含む。
【００９７】
以上のような実施形態では、コンポーネントキャリアが複数の場合、各々のコンポーネントキャリアのシステム情報または変更されたシステム情報を各コンポーネントキャリアを通じて端末に転送せず、１つのコンポーネントキャリア、即ちシグナリング接続などを形成している特別コンポーネントキャリアを通じて全てのコンポーネントキャリアのシステム情報を伝達するものである。このとき、全てのコンポーネントキャリアのシステム情報は特別コンポーネントキャリアを通じて順次に端末に転送されてもよく、１つのメッセージとして同時に転送されてもよい。
【００９８】
図７は、本明細書の一実施形態によるＳＩを送信するＳＩ送信装置の構成を図示したものである。
【００９９】
本実施形態による装置は、多重コンポーネントキャリアのシステム情報送信装置であって、自身が使用するコンポーネントキャリアのシステム情報は勿論、他のコンポーネントキャリアのシステム情報を端末に転送することができる。例えば、図７に図示した構成は、第１コンポーネントキャリア、第２コンポーネントキャリアを用いて、第２コンポーネントキャリアのシステム情報の全体または変更されたシステム情報の一部を第１コンポーネントキャリアを通じてユーザ端末に送信する装置の一実施形態である。
【０１００】
ＳＩ送信装置７００は、機能によって、ＳＦＮ管理部７１０、ＢＣＨ管理部７２０、コーディング部７３０、制御部７４０、及び転送部７５０などを含むが、これに限定されるものではない。
【０１０１】
ＳＦＮ管理部７１０は、ＳＦＮ（System Frame Number）を制御及び管理する機能部であって、無線フレーム毎にＳＦＮを増加させる役割を遂行する。ＳＦＮ（System Frame Number）はシステム情報に含まれる情報であって、Ｐ−ＢＣＨ（Public Broadcast CHannel）転送周期毎に異なる値を有する情報を、他のＰ−ＢＣＨ情報と区分して、別途にコーディング（Coding）／反復（Repetition）し、承諾されたリソース（agreed resource）を通じて転送されることを意味するが、これに限定されるものではない。
【０１０２】
ＢＣＨ管理部７２０は、ＳＦＮ以外のＢＣＨ情報を制御及び管理する機能部であって、特に、本明細書の一実施形態によって自身のシステム情報以外に他のコンポーネントキャリアのＳＩを獲得した後、端末に転送する機能を遂行する。
【０１０３】
具体的に説明すると、端末とシグナリング接続を行っている特別コンポーネントキャリア、または特別セル（Special Cell）のＳＩ送信装置に含まれるＢＣＨ制御部７２０は、他のコンポーネントキャリアのシステム情報を変更するか否かを確認する機能と、自身または他のコンポーネントキャリアのシステム情報自体か、変更されたシステム情報を端末に転送することができる。
【０１０４】
このとき、ＢＣＨ制御部を通じて生成されて転送されるシステム情報は、該当ＣＣを通じてデータを送受信するために必要な全ての情報であり、例えば、該当ＣＣのダウンリンク（ＤＬ）搬送波周波数（そして、対をなすアップリンク（ＵＬ）周波数）の情報、該当ＣＣの帯域幅（ＢＷ）情報、ＣＣを物理的セルＩＤ（ＰＣＩ；Physical Cell ID）に区分する場合のＰＣＩ情報、搬送波索引情報（Carrier Index情報）、電波リソース設定情報（Radio Resource Configuration）、臨時ＩＤ情報などを含んでもよいが、これに限定されるものではない。
【０１０５】
コーディング部（Coder）７３０は、ＳＦＮやＢＣＨ（broadcast channel）情報を予め決められたコーディング方法とコーディング率によって各々コーディングするブロックである。
【０１０６】
制御部（Controller）７４０は、ＳＦＮ管理部７１０とＢＣＨ管理部７２０の各々の情報の転送時点とコーディング部７３０でのコーディング方法及びコーディング率を調節する役割を遂行する。
【０１０７】
転送部７５０は、コーディング部７３０でコーディングされたＳＦＮ及び複数のＢＣＨ情報をセル内に転送する機能を遂行する。
【０１０８】
即ち、本実施形態によるＳＩ送信装置は、基地局（ｅＮＢまたはCell）内に具現され、他のコンポーネントキャリアのシステム情報の全体または変更されたシステム情報を端末に転送するように動作し、このため、他のコンポーネントキャリアのシステム情報の全体または変更されたシステム情報の伝達を受ける機能と、他のコンポーネントキャリアのシステム情報変更事実の通知を受けてモニタリングする機能、及び他のコンポーネントキャリアのシステム情報の全体または変更されたシステム情報を端末に転送する機能などを具備する。
【０１０９】
したがって、図７に図示したような構造に限定されず、前述した機能を遂行できる限り、装置構成や具現方式は多様に変化してもよい。
【０１１０】
図８は、本明細書の一実施形態よるシステム情報受信装置のブロック図である。
【０１１１】
一実施形態によるシステム情報受信装置は、現在シグナリング接続（current signaling connection）が形成された特別コンポーネントキャリアのシステム情報送信装置から上記特別コンポーネントキャリアのシステム情報及び他のコンポーネントキャリアのシステム情報を受信して獲得する構成を有する。例えば、図８に図示した構成は、第１コンポーネントキャリア及び第２コンポーネントキャリアを用いて、第２コンポーネントキャリアのシステム情報の全体または変更されたシステム情報の一部を第１コンポーネントキャリアを通じて受信するユーザ端末の一実施形態である。
【０１１２】
一実施形態によるシステム情報受信装置は、主に端末（ＵＥ）内に具現されるが、これに限定されるものではなく、システム情報を獲得して使用する全ての通信関連装置を含む概念である。
【０１１３】
図８に図示したシステム情報受信装置８００は、受信部８１０、制御部８２０、デコーダ８３０、ＳＦＮ管理部８４０、及びＢＣＨ管理部８５０などを含むが、これに限定されるものではない。
【０１１４】
より具体的に説明すると、受信部８１０は、特別コンポーネントキャリアであるＣＣ２のＳＩ送信装置７００からＣＣ２自身に対するシステム情報は勿論、他のコンポーネントキャリアであるＣＣ３またはＣＣ４に対するシステム情報の全体または変更されたシステム情報を受信する。
【０１１５】
制御部８２０は、受信部８１０を通じて受信したシステム情報のデコーディング方法及びデコーディング率の適用を制御する。このとき、ＳＦＮとＳＦＮの以外のＢＣＨ情報に対して各々異なるデコーディング方法とデコーディング率を適用するように制御してもよい。
【０１１６】
デコーダ（Decoder）８３０は、制御部８２０の制御によってＳＦＮ情報とＢＣＨ情報をデコーディングし、デコーダ８３０を通じて各々デコーディングされたＳＦＮ情報とＢＣＨ情報は、ＳＦＮ管理部８４０とＢＣＨ管理部８５０とに各々分離されて制御及び管理される。
【０１１７】
ＳＦＮ管理部８４０は、受信したＳＦＮの連続性を確認（identify）し、確認結果によって制御部８２０の制御によって次の周期のＳＦＮを追加に受信してもよい。
【０１１８】
ＢＣＨ管理部８５０は、ＢＣＨ情報を成功的に受信できなかった場合、上記受信されたＢＣＨ情報をバッファに格納してから制御部８２０の制御によって次の周期に受信されるＢＣＨ情報と結合（Combining）する。
【０１１９】
本実施形態によるＳＩ受信装置であるＢＣＨ管理部８５０は、特別コンポーネントキャリア（または、特別セル）のＳＩ送信装置から受信したシステム情報に基づき、特別コンポーネントキャリアのシステム情報及び他のコンポーネントキャリアのシステム情報を確認してもよく、特に、特別コンポーネントキャリア及び他のコンポーネントキャリアの変更されたシステム情報を獲得してもよい。ここで、上記システム情報の全体または変更されたシステム情報は、該当コンポーネントキャリアのダウンリンク（ＤＬ）搬送波周波数（そして、対をなすアップリンク（ＵＬ）周波数）の情報、該当ＣＣの帯域幅（ＢＷ）情報、ＣＣを物理的セルＩＤ（ＰＣＩ；Physical Cell ID）に区分する場合のＰＣＩ情報、搬送波索引情報（Carrier Index情報）、電波リソース設定情報（Radio Resource Configuration）、臨時ＩＤ情報などを含んでもよい。
【０１２０】
以上のような実施形態野によれば、搬送波集積（Carrier Aggregation）技術において、端末が複数のＣＣのシステム情報を受信するために、該当コンポーネントキャリア（Component Carrier）のシステム情報などを受信するための端末が、複数のコンポーネントキ
ャリア（Component Carrier）から該当情報を受信せず、複数のコンポーネントキャリア（Component Carrier）のうち特定のコンポーネントキャリア（Component Carrier）を通じて他のコンポーネントキャリア（Component Carrier）のための情報を受信することによって、複数のコンポーネントキャリアの使用時に発生する追加的なバッテリー消耗あるいは情報受信までの遅延時間などが発生する問題を解決し、バッテリー消耗あるいは情報受信遅延を減らす効果を奏することができる。
【０１２１】
以上、本発明の実施形態を構成する全ての構成要素が１つに結合されるか、結合されて動作することと説明したが、本発明が必ずこのような実施形態に限定されるものではない。即ち、本発明の目的の範囲内であれば、その全ての構成要素が１つ以上に選択的に結合して動作するものであってもよい。また、その全ての構成要素が各々１つの独立的なハードウェアで具現されるものであってもよく、各構成要素のその一部または全部が選択的に組み合わせられて１つまたは複数のハードウェアで組み合わせられた一部または全部の機能を遂行するプログラムモジュールを有するコンピュータプログラムとして具現されてもよい。そのコンピュータプログラムを構成するコード及びコードセグメントは、本発明の技術分野の当業者により容易に推論できるものである。このようなコンピュータプログラムは、コンピュータが読取可能な媒体（Computer Readable Media）に格納されてコンピュータによって読み取られ、実行されることによって、本発明の実施形態を具現することができる。コンピュータプログラムの媒体としては、磁気記録媒体、光記録媒体、キャリアウェーブ媒体などが含まれてもよい。
【０１２２】
また、上記“含む”、“構成する”、または“有する”などの用語は、特別に反対となる記載がない限り、該当の構成要素が内在できることを意味するものであり、他の構成要素を除外するものではなく、他の構成要素を更に含むことができるものと解釈されるべきである。技術的または科学的な用語を含んだ全ての用語は、特に定義されない限り、本発明が属する技術分野で通常の知識を有する者により一般的に理解されることと同一の意味を有する。事前に定義された用語のように、一般的に使われる用語は関連技術の文脈上の意味と一致するものと解釈されるべきであり、本発明で明らかに定義しない限り、理想的であるとか、過度に形式的な意味として解釈されない。
【０１２３】
以上の説明は、本発明の技術的思想を例示的に説明したに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるものではない。本発明の保護範囲は特許請求の範囲により解釈されなければならず、それと同等な範囲内にある全ての技術的思想は本発明の権利範囲に含まれるものと解釈されるべきである。
【０１２４】
本特許出願は、２００９年１１月１０日付で韓国に出願した特許出願番号第１０−２００９−０１０７９２０号に対し、米国特許法１１９（ａ）条（３５Ｕ．Ｓ．Ｃ§１１９（ａ））により優先権を主張し、その全ての内容は参考文献として本特許出願に併合される。併せて、本特許出願は、米国以外の国家に対しても上記と同一な理由により優先権を主張すれば、その全ての内容は参考文献として本特許出願に併合される。
【図１】
0006050407.tif 000002
【図２】
0006050407.tif 000003
【図３】
0006050407.tif 000004
【図４】
0006050407.tif 000005
【図５】
0006050407.tif 000006
【図６】
0006050407.tif 000007
【図７】
0006050407.tif 000008
【図８】
0006050407.tif 000009